(57)【特許請求の範囲】
【請求項１】
取付材と、シートと、引張具と、保持具を備え、引張具は、取付材に取り付けてあって、取付材と反対側に被引掛部を有するとともに、取付材に対して被引掛部を保持具側に付勢する付勢部材を有しており、保持具は、取付材側に引掛部を有し、取付材と反対側に保持部を有しており、保持部がシートを保持していて、引掛部を引張具の被引掛部に引っ掛けてあることを特徴とするシート張設体。
【発明の詳細な説明】
【技術分野】
【０００１】
本発明は、支持用の取付材にシートを張設したものであって、看板などに用いられるシート張設体に関する。
【背景技術】
【０００２】
屋外の大型看板などにおいて、枠体にＦＦ（フレキシブルフェイス）シートを張設したものが用いられている。このような看板において、枠体にシートを取り付ける部分の構造については、従来、特許文献１に示すようなものであった。すなわち、枠体の外周側に溝部を設けてあり、溝部にシートの端部を巻き込んで押さえる押さえ部材をネジ止めしてあった。
【先行技術文献】
【特許文献】
【０００３】
【特許文献１】特許第５６１５６７０号公報
【発明の概要】
【発明が解決しようとする課題】
【０００４】
しかしながら、このような従来の構造では、シートを張った状態を維持しながら、端部を押さえ部材により押さえてネジ止めしなければならず、施工に手間がかかっていた。
【０００５】
本発明は、上記事情を鑑みたものであり、施工が容易なシート張設体を提供することを目的とする。
【課題を解決するための手段】
【０００６】
本発明は、取付材と、シートと、引張具と、保持具を備え、引張具は、取付材に取り付けてあって、取付材と反対側に被引掛部を有するとともに、取付材に対して被引掛部を保持具側に付勢する付勢部材を有しており、保持具は、取付材側に引掛部を有し、取付材と反対側に保持部を有しており、保持部がシートを保持していて、引掛部を引張具の被引掛部に引っ掛けてあることを特徴とする。
【発明の効果】
【０００７】
本発明によれば、シートを保持した保持具の引掛部を、引張具の被引掛部に引っ掛けることで、シートを張設可能である。そして、付勢部材により、引張具の被引掛部が常に取付材の保持具側に位置するので、保持具の引掛部を引っ掛けやすく、施工が容易である。
【図面の簡単な説明】
【０００８】
【図１】シート取付部分の縦断面図である。
【図２】シート取付部分の正面図である。
【図３】引張具を示し、（ａ）は側面図、（ｂ）は背面図である。
【図４】保持具を示し、（ａ）は側面図、（ｂ）は背面図である。
【図５】（ａ）及び（ｂ）は、押さえ具の取付方法の説明図である。
【図６】引掛部が被引掛部に対して回動自在であることの説明図である。
【図７】（ａ）〜（ｄ）は、シートの張設過程の説明図である。
【図８】シート張設体の全体正面図である。
【図９】シート張設体の全体縦断面図である。
【発明を実施するための形態】
【０００９】
以下、本発明の実施の形態を図面に基づいて説明する。このシート張設体は、種々の用途に用いられるものであるが、ここでは、屋外に設置される看板として用いられる場合を示す。具体的には、図８及び図９に示すように、矩形の枠体の内周側にシート２を張設したものであり、シートの前側（図８の手前側、図９の左側）の面に、表示目的となる文字や図柄などが描かれる。なお、図８では、シート２及び後述のカバー８を透過して図示している。枠体は、取付材１を四周枠組みして構成したものであり、各取付材１は、図１に示すように、二本のＬ字アングルを溶接により接合して形成したものであって、前側に向けて延びる前側見込面１１と、前側見込面１１よりも外周側に位置し、後側に向けて延びる後側見込面１２を有する。
【００１０】
そして、図１及び図２に示すように、この取付材１に対し、引張具３及び保持具４により、シート２を取り付けてある。なお、図２では、シート２及び後述のカバー８を透過して図示している。引張具３及び保持具４は、図８に示すように、各取付材１の長手方向に沿って、所定間隔で並べて取り付けてある。引張具３が取付材１に取り付けてあり、保持具４がシート２の端部を保持していて、引張具３が保持具４を外周側（取付材１側）に引っ張ることで、シート２が張設されている。
【００１１】
引張具３は、図３に示すように、内外周方向に延びる軸部３３と、軸部３３の内周側端（取付材１と反対側端）に取り付けた、取付材１の長手方向（図２、図３（ｂ）においては左右方向）に延びる被引掛部３１を有し、全体として略Ｔ字形である。軸部３３は、全長のうち外周側の略２／３が、ネジ山を形成したネジ部３４となっており、内周側の略１／３が、平板状の平板部３５となっている。一方、被引掛部３１は、内周側に向けて開口する断面略コ字形の部材であり、外周側面は外周側に向けて凸な略円弧状に形成してある。また、被引掛部３１の外周側面には孔３６を形成してあって、孔３６に平板部３５の内周側端部を挿入して、前後方向から軸支してある。よって、被引掛部３１は、孔３６と平板部３５のクリアランスの分だけ、軸部３３に対して前後方向軸周りに回動可能である。さらに、軸部３３のネジ部３４には、スプリングからなる付勢部材３２を外挿してあり、付勢部材３２の内周側端部を、ネジ部３４の内周側端部に固定してある。そして、このように構成した引張具３を、取付材１の前側見込面１１に形成した孔に内周側から挿入し、外周側からネジ部３４にナット３７を螺合して取り付けてあり、ナット３７を回転させることで、軸部３３及び被引掛部３１が内外周方向に移動する。付勢部材３２の外周側端部は、取付材１の前側見込面１１の内周側面に当接し、取付材１に対して、軸部３３及び被引掛部３１を内周側（保持具４側）に付勢している。
【００１２】
また、保持具４は、図４に示すように、外周側（取付材１側）に位置する引掛部４１と、内周側（取付材１と反対側）に位置する保持部４２と、両者を接続する前側見付壁４３を有する。引掛部４１は、前側見付壁４３の外周側端部から後側外周方向に向けて形成してあって、外周側に向けて凸な略半円弧状であり、図１に示すように、内側に引張具３の被引掛部３１が納まる大きさとなっている。そして、引掛部４１及び前側見付壁４３は、取付材１の長手方向（図２、図４（ｂ）においては左右方向）の中央に切欠部４４を形成してあり、左右に分かれている。図２に示すように、この切欠部４４に、引張具３の軸部３３を挿入するようにして、引掛部４１を、前側から引張具３の被引掛部３１に引っ掛けてある。この状態で、引張具３のナット３７を回転させて軸部３３及び被引掛部３１を外周側に移動させることで、保持具４が外周側に引っ張られる。
【００１３】
また、保持部４２は、前側見付壁４３の内周側端部から後側内周方向に向けて形成してある受部５と、別体の押さえ具６からなる。受部５は、前側に向けて開口する凹部５１を有しており、開口の幅は押さえ具６が通過可能なものであって、かつ凹部５１の内部空間は押さえ具６よりも大きく、開口から押さえ具６を挿入できる。そして凹部５１は、前側見付壁４３の内周側端部から内周側に向けて延びる前側当接壁５３と、前側見付壁４３の内周側端部から後側に向けて延びる見込壁５６と、見込壁５６の後側端部から内周側に向けて延びる後側見付壁５７と、後側見付壁５７の内周側端部から前側内周方向に向けて延びる案内斜壁５５と、案内斜壁５５の内周側端部から内周側に向けて延びる後側当接壁５４と、後側当接壁５４の内周側端部から前側に向けて延びる側方当接壁５２によって形成されており、前側当接壁５３と側方当接壁５２の間から開口している。なお、案内斜壁５５の内周側端部が、前側当接壁５３の内周側端部よりも内周側に位置している。また、側方当接壁５２、前側当接壁５３及び後側当接壁５４の内側面（凹部５１の内部空間側の面）には、三角波状の凹凸部５８を設けてある。さらに、後側見付壁５７の、取付材１の長手方向（図２、図４（ｂ）においては左右方向）の中央に、後述の押圧具７を取り付けるためのネジ孔５９を形成してある。一方、押さえ具６は、図１及び図２に示すように、取付材１の長手方向（図２においては左右方向）に沿って延びる断面矩形の棒状のものであり、保持具４の左右幅の三倍程度の長さである。表面には、三角波状の凹凸部６１を設けてあり、これは受部５の凹凸部５８と噛み合うものである。図８に示すように、押さえ具６は、隣接する押さえ具６と狭い隙間を隔てて略連なるように並んでおり、押さえ具６の並び位置に合わせて、取付材１に対する複数の引張具３の取付位置及びシート２に対する複数の保持具４の取付位置が定められている。
【００１４】
そして、図１に示すように、押さえ具６に、シート２の端部を前側から巻き付けてあり、押さえ具６をシート２ごと、受部５の凹部５１に挿入してある。押さえ具６は、シート２を巻き付けた状態で、内周側面（側方面）が側方当接壁５２にシート２を挟んで当接し、前側面が前側当接壁５３にシート２を挟んで当接し、後側面が後側当接壁５４にシート２を挟んで当接する。このようにして、押さえ具６と、凹部５１の内側面（側方当接壁５２、前側当接壁５３及び後側当接壁５４）との間でシート２を挟み込むことで、保持部４２がシート２を保持するものであり、特に、押さえ具６の凹凸部６１と凹部５１の凹凸部５８が相互に噛み合ってシート２に食い込むので、シート２がより強固に保持される。
【００１５】
さらに、図１及び図９に示すように、シート張設体の周縁部には、断面略Ｌ字形のカバー８を取り付けてある。カバー８は、取付材１の後側見込面１２に固定してあり、シート張設体を正面視した際に、取付材１、引張具３及び保持具４を覆い隠し、シート２のみが見えるようにしてある。
【００１６】
引張具３や保持具４などの各部の構成は以上のようなものであり、続いて、これらによってシート２を張設する際の施工手順を説明する。まず、シート２の端部を押さえ具６に巻き付け、押さえ具６をシート２ごと受部５の凹部５１の開口から挿入する。この際、図５（ａ）に示すように、押さえ具６を、案内斜壁５５に沿って前側内周方向から挿入可能である。これは、案内斜壁５５の内周側端部が、前側当接壁５３の内周側端部よりも内周側に位置していて、案内斜壁５５の内側面（凹部５１の内部空間側の面）と、前側当接壁５３の内周側端部との間隔が、押さえ具６の断面の短辺幅よりも広くなっているからである。なお、案内斜壁５５の内側面には、凹凸が形成されていないので、押さえ具６の凹凸部６１が引っ掛かることはなく、押さえ具６は案内斜壁５５に挿入を案内されて、スムーズに挿入できる。次に、図５（ｂ）に示すように、凹部５１に挿入した押さえ具６を、外周側部が前側に、内周側部が後側に向かうように、回転させる。これにより、押さえ具６は、前側面、後側面及び内周側面が、前側当接壁５３、後側当接壁５４及び側方当接壁５２に当接するとともに、押さえ具６と各壁面との間でシート２を挟み込み、保持部４２がシート２を保持する。そしてこれだけでも、押さえ具６の凹凸部６１と凹部５１の凹凸部５８が相互に噛み合ってシート２に食い込むので、シート２は強固に保持されるが、より確実性を高めるため、受部５の後側見付壁５７のネジ孔５９に、ネジからなる押圧具７を後側から螺入する。この押圧具７が、押さえ具６に後側から当接し、前側当接壁５３に押さえ付けて、シート２をより強固に挟み込むとともに、押さえ具６が逆回転することを防ぎ、シート２を確実に保持する。ここまでを繰り返し、押さえ具６が略連なって並ぶように、シート２の全周にわたって保持具４を取り付ける。次に、取付材１の前側見込面１１に長手方向に沿って並んで形成した孔のそれぞれに、引張具３を内周側から挿入し、外周側からネジ部３４にナット３７を螺合して取り付ける。この際、付勢部材３２の外周側端部が前側見込面１１の内周側面に当接するようにナット３７を締め付けることで、付勢部材３２が押し縮められ、取付材１に対して、軸部３３及び被引掛部３１が内周側に付勢される。次に、保持部４２によりシート２を保持した保持具４の引掛部４１を、引張具３の被引掛部３１に引っ掛ける。この際、切欠部４４に引張具３の軸部３３を挿入するようにして、引掛部４１を前側から被引掛部３１に引っ掛け、引掛部４１の内側に、被引掛部３１を納める。引掛部４１が略円弧状であるから、図６に示すように、引掛部４１は被引掛部３１に対して取付材１の長手方向軸周りに回動自在であり、引掛部４１を受ける被引掛部３１の外周側面も略円弧状であるから、引掛部４１がスムーズに回動する。よって、図７（ａ）に示すように、軸部３３が取付材１の前側見込面１１に対して垂直となる引張具３の姿勢を維持したまま、保持具４を任意の角度から（図では前側内周方向から）引っ掛け可能である。また、引っ掛け後においても、保持具４の引掛部４１を引張具３の被引掛部３１に引っ掛けた状態で、保持具４が引張具３に対して取付材１の長手方向軸周りに回動自在であるから、引張具３の姿勢を維持したまま、シート２の向きに追従して保持具４が自在に回転するので、並んだ保持具４を順に引張具３に引っ掛ける際にも、引っ掛け済みの部位に動きが妨げられず、スムーズな張設が可能である。そして、すべての保持具４の引掛部４１を、引張具３の被引掛部３１に引っ掛けたら、図７（ｂ）に示すように、それぞれの引張具３のナット３７を締め付ける。すると、軸部３３及び被引掛部３１が外周側に移動し、保持具４が外周側に引っ張られ、図７（ｃ）に示すように軸部３３と平行な向きとなる。そしてさらにナット３７を締め付けると、保持具４が外周側に引っ張られるのに伴いシート２も周囲から外周側に引っ張られて、図７（ｄ）に示すように、たわみなく張設される。最後に、取付材１にカバー８を取り付け、取付材１、引張具３及び保持具４を覆い隠す。
【００１７】
このように構成したシート張設体によれば、シート２を保持した保持具４の引掛部４１を、引張具３の被引掛部３１に引っ掛けて、引張具３により保持具４を外周側に引っ張ることで、シート２を張設可能である。そして、付勢部材３２により、引張具３の被引掛部３１が、常に取付材１から内周側に突出して位置するので、保持具４の引掛部４１を引っ掛けやすい。付勢部材３２がない場合、特にシート張設体の下辺や縦辺においては、被引掛部３１が取付材１側に引っ込んでしまい、保持具４の引掛部４１を引っ掛ける際に被引掛部３１を内周側に引っ張り出さなければならず、作業性が悪いが、本発明ではそのような手間を要することなく、施工が容易である。さらに、この付勢部材３２は、引張具３を取付材１に固定しているナット３７の緩み止めとしても機能する。また、保持具４によりシート２を保持する際には、押さえ具６を凹部５１に挿入するだけよいので、この点においても施工が容易である。この際、受部５の案内斜壁５５の内周側端部が、前側当接壁５３の内周側端部よりも内周側に位置していて、案内斜壁５５の内側面と、前側当接壁５３の内周側端部との間隔が、押さえ具６の断面の短辺幅よりも広くなっていることにより、押さえ具６を前側内周方向から挿入可能であって、押さえ具６は案内斜壁５５に挿入を案内されて、スムーズに挿入できるので、大型のシート２の場合などであっても、取り付けが容易である。そして特に、押さえ具６の凹凸部６１と凹部５１の凹凸部５８が相互に噛み合ってシート２に食い込むので、シート２がより強固に保持される。さらに、押圧具７で押さえ具６を押圧してあり、シート２をより強固に挟み込むとともに、押さえ具６が逆回転することを防ぎ、シート２を確実に保持する。なお、シート２を前側ではなく後側から押さえ具６に巻き付けた場合であっても、同様に保持されるので、仮に施工手順に間違いがあったとしても、シート２が外れることはない。また、保持具４の引掛部４１が略円弧状であるから、引張具３の被引掛部３１に対して、回動自在に引っ掛けられるので、軸部３３が取付材１の前側見込面１１に対して垂直となる引張具３の姿勢を維持したまま、保持具４を任意の角度から引っ掛け可能であり、かつ引っ掛け後においても、引張具３の姿勢を維持したまま、シート２の向きに追従して保持具４が自在に回転するので、スムーズな張設が可能であり、この点においても施工が容易である。
【００１８】
本発明は、上記の実施形態に限定されない。たとえば、このシート張設体は、看板のほか、パーテーションやテントなどとして用いることもできる。また、保持部がシートを保持する部分については、最終的に、シートを巻き付けた押さえ具が凹部に挿入されていればよく、施工手順としては、押さえ具にシートを巻き付けてから凹部に挿入してもよいし、先にシートのみを凹部に挿入してから押さえ具を挿入してもよい。
【符号の説明】
【００１９】
１  取付材
２  シート
３  引張具
４  保持具
５  受部
６  押さえ具
３１  被引掛部
３２  付勢部材
４１  引掛部
４２  保持部
５１  凹部
５２  側方当接壁
５３  前側当接壁
５４  後側当接壁
５５  案内斜壁
【図１】
0006529446.tif 000002
【図２】
0006529446.tif 000003
【図３】
0006529446.tif 000004
【図４】
0006529446.tif 000005
【図５】
0006529446.tif 000006
【図６】
0006529446.tif 000007
【図７】
0006529446.tif 000008
【図８】
0006529446.tif 000009
【図９】
0006529446.tif 000010